(57)【要約】  薬液収納容器（１）は、容器本体（２）と、容器本体（２）に収納された薬剤（１０）とを有し、容器本体（２）は、先端側に設けられ、液体が注入される第１の空間（２１）と、第１の空間（２１）よりも基端側に設けられ、薬剤（１０）を収納する第２の空間（２３）と、第１の空間（２１）と第２の空間（２３）とを連通するとともに第１の空間（２１）から注入された液体（２０）を第２の空間（２３）の内側面（２３ａ）に誘導する少なくとも１つの誘導路（６）とを有し、内側面（２３ａ）に誘導した液体（２０）を内側面（２３ａ）を伝わせて薬剤（１０）に供給するよう構成されている。また、誘導路（６）は、容器本体（２）の周方向に沿って間隔をおいて複数設けられている。
2012105646.tif 000002
【特許請求の範囲】
【請求項１】
先端と基端とを有し、薬剤が収納される容器本体からなる薬剤収納容器において、
前記容器本体は、先端側に設けられ、液体が注入される開口部を有する第１の空間と、前記第１の空間よりも基端側に設けられ、内側面を有し、かつ前記薬剤が収納される第２の空間と、前記第１の空間と前記第２の空間とを空間的に仕切る仕切部とを備え、
前記仕切部は、前記第１の空間と前記第２の空間とを連通するとともに前記開口部から前記第１の空間に注入される前記液体を前記第２の空間の前記内側面に誘導する少なくとも１つの誘導路を有していることを特徴とする薬剤収納容器。
【請求項２】
前記誘導路は、前記内側面に誘導される前記液体を、前記内側面を伝わらせて前記第２の空間に収納される前記薬剤に供給するよう構成されている請求項１に記載の薬剤収納容器。
【請求項３】
前記誘導路は、前記容器本体の周方向に沿って間隔をおいて複数設けられている請求項２に記載の薬剤収納容器。
【請求項４】
前記誘導路は、前記容器本体を先端側から見た平面視にて、扇形をなしている請求項１に記載の薬液収納容器。
【請求項５】
前記第２の空間は、その内径が基端側に向けて漸減する内径漸減部を有し、
前記液体は、前記内径漸減部の内側面を伝いながら前記薬剤に供給される請求項２に記載の薬剤収納容器。
【請求項６】
前記仕切部は、前記第２の空間の内側に突出する凸部を有し、
前記凸部は、前記容器本体の基端側に向けて内方に傾斜する傾斜面を有し、
前記誘導路の前記第２の空間側の開口は、前記凸部の周縁に形成されている請求項２に記載の薬剤収納容器。
【請求項７】
前記容器本体は、前記第１の空間および前記仕切部を構成する第１部材と、前記第２の空間を構成する第２部材とが接合されてなる請求項２に記載の薬剤収納容器。
【請求項８】
前記開口部には、弁体または針体が刺通可能な蓋体が設けられており、前記容器本体内が気密的に封止されている請求項１に記載の薬剤収納容器。
【発明の詳細な説明】
【技術分野】
【０００１】
本発明は、薬剤収納容器に関する。
【背景技術】
【０００２】
通常、多くの薬剤は、ゴム栓で封止されたバイアル容器（薬剤収納容器）内に収納されている（例えば、特許文献１参照）。【０００３】
このようなバイアル容器から、例えば粉末状の薬剤を取り出す場合、溶解用液を収納したシリンジの先端に注射針を取り付け、注射針でバイアル容器のゴム栓を刺通してバイアル容器内に溶解用液を注入する。これにより、薬剤が溶解した溶解用液（以下「薬液」と言う。）が得られる。しかしながら、このようなバイアル容器では、注射針から流れ出る溶解用液が勢いよく直接、薬剤に垂れ落ちてしまうため、薬液が泡立ってしまい（薬液中に気泡が発生してしまい）、注射器等を用いてバイアル容器から薬液を吸引する際、正確な計量ができなかったり、薬液の濃度にムラが生じたりすると言った問題が生じる。【０００４】
【特許文献１】特開２００６−５５４５２号公報
【発明の開示】
【０００５】
本発明の目的は、薬液の泡立ちを抑制することのできる薬剤収納容器を提供することにある。
【０００６】
上記目的を達成するために、本発明は、先端と基端とを有し、薬剤が収納される容器本体からなる薬剤収納容器において、
前記容器本体は、先端側に設けられ、液体が注入される開口部を有する第１の空間と、前記第１の空間よりも基端側に設けられ、内側面を有し、かつ前記薬剤が収納される第２の空間と、前記第１の空間と前記第２の空間とを空間的に仕切る仕切部とを備え、
前記仕切部は、前記第１の空間と前記第２の空間とを連通するとともに前記開口部から前記第１の空間に注入される前記液体を前記第２の空間の前記内側面に誘導する少なくとも１つの誘導路を有していることを特徴とする薬剤収納容器である。
【０００７】
本発明の薬剤収納容器では、前記誘導路は、前記内側面に誘導される前記液体を、前記内側面を伝わらせて前記第２の空間に収納される前記薬剤に供給するよう構成されているのが好ましい。
【０００８】
本発明の薬剤収納容器では、前記誘導路は、前記容器本体の周方向に沿って間隔をおいて複数設けられているのが好ましい。
【０００９】
本発明の薬剤収納容器では、前記誘導路は、前記容器本体を先端側から見た平面視にて、扇形をなしているのが好ましい。
【００１０】
本発明の薬剤収納容器では、前記第２の空間は、その内径が基端側に向けて漸減する内径漸減部を有し、
前記液体は、前記内径漸減部の内側面を伝いながら前記薬剤に供給されるのが好ましい。
【００１１】
本発明の薬剤収納容器では、前記仕切部は、前記第２の空間の内側に突出する凸部を有し、
前記凸部は、前記容器本体の基端側に向けて内方に傾斜する傾斜面を有し、
前記誘導路の前記第２の空間側の開口は、前記凸部の周縁に形成されているのが好ましい。
【００１２】
本発明の薬剤収納容器では、前記容器本体は、前記第１の空間および前記仕切部を構成する第１部材と、前記第２の空間を構成する第２部材とが接合されてなるのが好ましい。
【００１３】
本発明の薬剤収納容器では、前記開口部には、弁体または針体が刺通可能な蓋体が設けられており、前記容器本体内が気密的に封止されているのが好ましい。
【図面の簡単な説明】
【００１４】
【図１】図１は、本発明の薬剤収納容器の第１実施形態を示す縦断面図である。
【図２】図２は、図１に示す薬剤収納容器の使用方法を説明するための断面図である。
【図３】図３は、本発明の薬剤収納容器の第２実施形態を示す縦断面図である。
【図４】図４は、図３に示す薬剤収納容器の変形例を示す縦断面図である。
【図５】図５は、本発明の薬剤収納容器の第３実施形態を示す横断面図である。
【図６】図６は、本発明の薬剤収納容器の第４実施形態を示す縦断面図である。
【図７】図７は、本発明の薬剤収納容器の第５実施形態を示す縦断面図である。
【図８】図８は、図７に示す薬剤収納容器の横断面図である。
【発明を実施するための最良の形態】
【００１５】
以下、本発明の薬剤収納容器を添付図面に示す好適な実施形態に基づいて詳細に説明する。【００１６】
＜第１実施形態＞
まず、本発明の薬剤収納容器の第１実施形態について説明する。【００１７】
図１は、本発明の薬剤収納容器の第１実施形態を示す縦断面図、図２は、図１に示す薬剤収納容器の使用方法を説明するための断面図である。なお、以下では、説明の都合上、図１、図２中の上側を「上」、下側を「下」という。【００１８】
図１に示す薬剤収納容器（バイアル容器）１は、容器本体２と、容器本体２に収納された薬剤１０とを有している。また、薬剤収納容器１は、蓋体４を有しており、これにより、使用前（保管時）の状態で容器本体２内の気密性が保持されている。【００１９】
この薬剤収納容器１では、例えば溶解用液、希釈用液や薬液等の液体（以下、単に「液体２０」と言う。）を、第１の空間２１を介して容器本体２内に注入して、薬剤１０と液体２０とを混合する操作等が行われる。なお、以下では、薬剤１０と液体２０との混合物を「薬液３０」とも言う。【００２０】
容器本体２に収納する薬剤１０としては、粉末製剤などの固形製剤が挙げられる。粉末製剤とする場合、例えば、第１の空間２１より容器本体２内に注入した薬液を凍結乾燥することにより、封入することができる。薬剤１０の具体例としては、例えば、ビタミン剤（総合ビタミン剤）、各種アミノ酸、ヘパリンのような抗血栓剤、インシュリン、エリスロポエチン、顆粒球コロニー刺激因子、成長ホルモン、血液抗凝固因子のようなタンパク製剤、抗生物質、抗腫瘍剤、鎮痛剤、強心剤、静注麻酔剤、抗パーキンソン剤、潰瘍治療剤、副腎皮質ホルモン剤、不整脈用剤、補正電解質、タンパク分解酵素阻害剤、トロンボキサン合成阻害剤等が挙げられる。【００２１】
図１に示すように、容器本体２は、有底円筒状をなし、上側（先端側）に設けられ、開口部２１１を有する第１の空間２１と、下側（基端側）に設けられ、薬剤１０が収納された第２の空間２３と、第１の空間２１と第２の空間２３とを空間的に仕切る仕切部２２とを有している。【００２２】
第２の空間２３は、容器本体２の軸方向にほぼ一定の内径を有する径一定部２３１と、径一定部２３１の下端と接続されており、下端側に向けて内径が漸減する内径漸減部２３２とを有している。薬剤収納容器１では、内径漸減部２３２に薬剤（固形製剤）１０が収納されており、薬剤１０の表面が径一定部２３１と内径漸減部２３２の境界部よりも下側に位置している。【００２３】
内径漸減部２３２の高さは、特に限定されないが、径一定部２３１の高さの０．７倍〜１．３倍程度であるのが好ましい。これにより、径一定部２３１と内径漸減部２３２の境界部が適した位置となり、後述するような効果をより確実に発揮することができるようになる。【００２４】
薬剤収納容器１は、後述するように、第１の空間２１から注入された液体２０を第２の空間２３の内側面２３ａを伝わらせて薬剤１０に供給するよう構成されており、内径漸減部２３２を設けることにより、薬剤１０に供給される直前の液体２０の流動速度を抑制することができる。そのため、液体２０をより穏やかに薬剤１０に供給することができる。また、例えば、第２の空間２３の内側面２３ａを伝う液体２０が薬剤１０に供給される前に内側面２３ａから離脱し、液滴となって薬剤１０に直接垂れ落ちるのを抑制することもできる。【００２５】
ここで、内側面２３ａの内径漸減部２３２における容器本体２の中心軸Ｊに対する傾斜角θ１は、特に限定されないが、５°〜２０°程度であるのが好ましく、１０°〜１５°程度であるのがより好ましい。これにより、上記効果を効果的に発揮することができるとともに、内径漸減部２３２の内部空間、すなわち薬剤１０を収納する領域を充分に確保することができる。【００２６】
第１の空間２１は、第２の空間２３に対して縮径した形状をなしている。また、第１の空間２１には、容器本体２の内外を連通する開口部２１１が形成されており、この開口部２１１を介して液体２０が容器本体２内に注入される。【００２７】
本実施形態では、第１の空間２１には、例えば、ゴム栓等で構成された蓋体４が嵌め込まれており、開口部２１１が塞がれている。これにより、容器本体２内の気密性が保持されている。【００２８】
仕切部２２は、第１の空間２１と第２の空間２３との間に設けられており、これらを空間的に仕切っている。このような仕切部２２は、略円錐台形状をなしており、その上面が第１の空間２１内に臨み、下面が第２の空間２３内に臨んでいる。【００２９】
また、仕切部２２には、第１の空間２１と第２の空間２３とを連通する誘導路６が形成されている。誘導路６は、仕切部２２の側面の傾斜に倣って形成された貫通孔であり、一端が第１の空間２１に開口し、他端が第２の空間２３に開口している。このような誘導路６は、第１の空間２１から注入された液体２０を第２の空間２３の内側面２３ａに誘導する機能を有している。内側面２３ａに誘導された液体２０は、そのまま内側面２３ａを伝い落ちながら薬剤１０に供給される。【００３０】
このような機能を有する誘導路６を備えることにより、液体２０を内側面２３ａを伝わらせて薬剤１０に供給することができるため、液体２０の薬剤１０への供給が穏やかとなる。そのため、薬剤１０と液体２０との混合物である薬液３０の泡立ちを抑制することができ、正確な計量が可能で、かつ液体２０中に薬剤１０が均一に溶解した薬液３０を得ることができる。【００３１】
誘導路６は、第２の空間２３に臨む開口の一部が第２の空間２３の内側面２３ａと連続的に接続されている。言い換えれば、第２の空間２３に臨む開口の一部が第２の空間２３の内側面２３ａと接触している。これにより、より確実に、誘導路６内を流動してきた液体２０を内側面２３ａに誘導することができる。【００３２】
本実施形態では、誘導路６は、容器本体２の周方向に等間隔に複数形成されている。これにより、第２の空間２３の内側面２３ａの複数箇所に、液体２０を偏りなく誘導することができる。そのため、液体２０をより広い範囲から薬剤１０に供給することができ、液体２０と薬剤１０との混合をスムーズに行うことができる。【００３３】
誘導路６の数は、特に限定されず、容器本体２の大きさ、誘導路６の横断面積等によっても異なるが、２本〜１０本程度であるのが好ましい。これにより、単位時間あたりに第２の空間２３に誘導される液体２０の量（以下、単に「誘導量」とも言う。）を適量とすることができ、液体２０と薬剤１０との混合をスムーズに行うことができる。また、誘導量が少な過ぎて、液体２０と薬剤１０との混合に時間がかかったり、反対に、誘導量が多過ぎて、液体２０が大量に第２の空間２３の内側面２３ａに誘導され、内側面２３ａを伝い落ちる液体２０の流動速度が過度に増加してしまったりするのを効果的に抑制することができる。【００３４】
また、各誘導路６の中心軸Ｊを法線とする平面に対する傾斜角θ２は、特に限定されないが、１５°〜４５°程度であるのが好ましく、３０°〜４０°程度であるのがより好ましく、３３〜３６°程度であるのがさらに好ましい。これにより、誘導路６内を流れる液体２０の流動速度が適度な速度となる。そのため、液体２０を効率的に内側面２３ａに誘導させることができるとともに、内側面２３ａを伝い落ちる液体２０の流動速度を抑えることができ、液体２０を穏やかに薬剤１０に供給することができる。【００３５】
各誘導路６の横断面積は、特に限定されず、１ｍｍ２〜５０ｍｍ２程度であるのが好ましく、５ｍｍ２〜２０ｍｍ２程度であるのがより好ましい。これにより、各誘導路６の液体２０の誘導量を適量とすることができる。【００３６】
また、各誘導路６の横断面積は、流路の延在方向に沿って一定であってもよいし、延在方向に沿って変化していてもよい。延在方向に沿って変化している場合には、例えば、横断面積が上流側から下流側に向けて漸減している等、下流側の横断面積が上流側の横断面積よりも小さくなっているのが好ましい。これにより、誘導路６の下流側での液体２０の流動速度が抑えられ、第２の空間２３の内側面２３ａを伝い落ちる液体２０の流動速度を抑えることができる。【００３７】
また、各誘導路６の横断面形状は、特に限定されず、円形、四角形等であってもよいが、深さＬよりも幅Ｗの方が大きい偏平形状（中心軸Ｊ方向に偏平した形状）であるのが好ましい。このような形状とすることにより、第２の空間２３に臨む開口のより広い領域を第２の空間２３の内側面２３ａと連続的に接続することができるため、より確実に、液体２０を内側面２３ａに誘導することができる。【００３８】
また、各誘導路６の高さＴは、特に限定されないが、１ｍｍ〜５ｍｍ程度であるのが好ましく、２ｍｍ〜３ｍｍ程度であるのがより好ましい。これにより、誘導路６内の液体２０の流れがスムーズとなる。また、液体２０を誘導路６の内面の上側と接触させながら内側面２３ａに誘導することができる。この部分は、第２の空間２３の内側面２３ａと連続している面であるため、液体２０を誘導路６の内面の上側と接触させることにより、より確実に、内側面２３ａに誘導することができる。なお、液体２０の粘土等によっても異なるが、誘導路６の高さが１ｍｍ未満である場合には、誘導路６内に液残りが発生するおそれがあり、液体２０と薬剤１０との混合が不完全となる場合がある。反対に、誘導路６の高さが５ｍｍを超えると、液体２０の回り込みが発生するおそれがあり、誘導路６内の液体２０の流れが乱れて液体２０のスムーズな供給が阻害される場合がある。【００３９】
また、各誘導路６の幅Ｗは、延在方向に沿って一定であってもよいし、延在方向に沿って変化していてもよい。延在方向に沿って変化している場合には、例えば、下流側の幅が下流側に向けて漸増し、誘導路６の下流部がテーパ状となっているのが好ましい。このような形状とすることにより、誘導路６を流れてきた液体２０が第２の空間２３の内側面２３ａの周方向の比較的広い領域に濡れ広がる。そのため、内側面２３ａを伝い落ちる液体２０の流動速度を抑えることができ、液体２０を穏やかに薬剤１０に供給することができる。また、液体２０をより広い範囲から薬剤１０に供給することができるため、液体２０と薬剤１０との混合をスムーズに行うことができる。【００４０】
以上、容器本体２の構成について詳細に説明した。【００４１】
このような容器本体２は、２つの部材を接合して形成されている。具体的には、第１の空間２１および仕切部２２を構成する第１部材２ａと、第２の空間２３を構成する第２部材２ｂとを有しており、これらを接合することにより容器本体２が形成されている。【００４２】
このように、容器本体２を２つの部材から形成することにより、例えば、射出成型法などによって、仕切部２２の形成を簡単に行うことができる。なお、第１部材２ａと第２部材２ｂとの接合方法は、特に限定されず、例えば、圧着、溶着、接着等の各種接合方法を用いることができる。【００４３】
容器本体２（第１、第２部材２ａ、２ｂ）の構成材料は、特に限定されないが、例えば、ポリエチレン、ポリプロピレン、ポリ４−メチルペンテン、ＣＯＣ（環状オレフィンコポリマー）、ＣＯＰ（環状オレフィンポリマー）等のポリオレフィン、ポリエチレンテレフタレート等のポリエステル、塩化ビニル樹脂、ポリビニルアルコール等のビニル系樹脂や、その他の熱可塑性樹脂のような樹脂材料、アルミニウムのような金属材料、各種ガラス材料等が挙げられ、これらのうちの１種または２種以上を組み合わせて用いることができる。【００４４】
次に、薬剤収納容器１の使用方法について、薬剤１０を溶解用液である液体２０を用いて溶解または分散する場合を一例に、図２に基づいて説明する。【００４５】
［１］  まず、液体２０を収納したシリンジ組立体９００を用意する。シリンジ組立体９００は、シリンジ７００と、シリンジ７００に装着された注射針８００とを有している。シリンジ７００は、先端口部７１１を有するシリンジ外筒７１０と、シリンジ外筒７１０内に摺動可能に設けられたガスケット７２０と、ガスケット７２０を移動操作する押し子７３０とを有し、シリンジ外筒７１０とガスケット７２０とで画成される空間内に液体２０が収納されている。また、注射針８００は、針体８２０と、針体８２０を支持するハブ８１０とを有しており、ハブ８１０を先端口部７１１に螺合や嵌合等によって固定することにより、シリンジ７００に装着される。【００４６】
［２］  次に、このシリンジ組立体９００の針体８２０を薬剤収納容器１の蓋体４に刺通し、針体８２０の先端部を容器本体２の第１の空間２１内に位置させる。これにより、シリンジ外筒７１０内と容器本体２内とが連通する。【００４７】
［３］  次に、前記［２］の状態で、シリンジ７００の押し子７３０を押し込むことにより、針体８２０を介して液体２０を容器本体２内に注入する。このようにして容器本体２内に注入された液体２０は、誘導路６によって第２の空間２３の内側面２３ａに誘導される。第２の空間２３の内側面２３ａに誘導された液体２０は、内側面２３ａを伝い落ちてき、内径漸減部２３２でその流動速度が抑えられた後、穏やかに薬剤１０に供給される。これにより、液体２０に薬剤１０が溶解または分散し、薬液３０が得られる。【００４８】
このように、薬剤収納容器１によれば、液体２０を薬剤１０に穏やかに供給することができるため、薬液３０の泡立ちが防止される。そのため、正確な計量が可能で、かつ薬剤１０が均一に溶解した薬液３０を得ることができる。【００４９】
［４］  次に、例えば、薬剤収納容器１を上下逆さまとし、薬液３０を誘導路６を介して第１の空間２１に誘導し、その状態で、シリンジ７００の押し子７３０を先端口部７１１と反対側に移動させる。これにより、薬液３０をシリンジ外筒７１０内に吸引することができる。そして、薬液３０の吸引が終了した後、針体８２０を蓋体４から抜去する。【００５０】
＜第２実施形態＞
次いで、本発明の薬剤収納容器の第２実施形態について説明する。【００５１】
図３は、本発明の薬剤収納容器の第２実施形態を示す縦断面図、図４は、図３に示す薬剤収納容器の変形例を示す縦断面図である。【００５２】
以下、本実施形態の薬剤収納容器について説明するが、前記第１実施形態の薬剤収納容器との相違点を中心に説明し、同様の事項については、その説明を省略する。【００５３】
本実施形態の薬剤収納容器では、仕切部の構成が異なる以外は、前記第１実施形態の薬剤収納容器と同様である。【００５４】
図３に示すように、本実施形態の仕切部２２は、第２の空間２３の内側に向けて突出する凸部２４Ａを有している。凸部２４Ａは、略円錐形状をなしており、容器本体２の下側に向けて内方に傾斜する傾斜面２４１Ａを有している。また、傾斜面２４１Ａは、各誘導路６の第２の空間２３に臨む開口と接続されている。言い換えれば、各誘導路６の第２の空間２３に臨む開口が凸部２４Ａの周縁に形成されている。この凸部２４Ａを設けることにより、次のような効果を発揮することができる。【００５５】
前述の第１実施形態で説明した薬剤収納容器１の使用方法の工程［４］にて、薬液３０をシリンジ外筒７１０内に吸引する際には、薬剤収納容器１を上下逆さまとし、薬液３０を誘導路６を介して第１の空間２１に誘導した状態で行うことを述べたが、本実施形態のように凸部２４Ａを設けることにより、薬剤収納容器１を上下逆さまとした際に、凸部２４Ａの傾斜面２４１Ａの傾斜によって薬液３０を誘導路６に効率的に導くことができる。そのため、薬剤収納容器１内の薬液３０の使用、回収を効率的に行うことができる。【００５６】
また、本実施形態の変形例として、図４に示すように、凸部２４Ａの先端部が薬剤１０の表面付近まで延びている構成としてもよい。このような構成とすることにより、仮に液体２０が凸部２４Ａの傾斜面２４１Ａを伝い落ち、凸部２４Ａの頂部から薬剤１０に向けて垂れ落ちたとしても、その衝撃をより小さくすることができるため、前述の効果を発揮しつつ、薬液３０の泡立ちをより効果的に防止することができる。なお、この効果は、凸部２４Ａの先端部と薬剤１０との離間距離が小さいほど高まり、凸部２４Ａの先端部が薬剤１０の表面と接触していたり、薬剤１０内に侵入していたりすると、その効果が最も高くなる。【００５７】
なお、図４の構成では、凸部２４Ａは、傾斜面２４１Ａの傾斜角が途中で変化する構成となっているが、凸部２４Ａの形状は、これに限定されず、傾斜面２４１Ａの傾斜角が一定であってもよいし、連続的に変化していてもよい。【００５８】
＜第３実施形態＞
次いで、本発明の薬剤収納容器の第３実施形態について説明する。【００５９】
図５は、本発明の薬剤収納容器の第３実施形態を示す横断面図である。【００６０】
以下、本実施形態の薬剤収納容器について説明するが、前記第１実施形態の薬剤収納容器との相違点を中心に説明し、同様の事項については、その説明を省略する。【００６１】
本実施形態の薬剤収納容器では、誘導路の形状が異なる以外は、前記第１実施形態の薬剤収納容器と同様である。【００６２】
図５に示すように、本実施形態の各誘導路６は、容器本体２の周方向に螺旋状に湾曲している。誘導路６をこのような形状とすることにより、誘導路６内を流れる液体２０に遠心力が加わり、第２の空間２３の内側面２３ａに誘導された液体２０が内側面２３ａの周方向の広い範囲に濡れ広がる。そのため、内側面２３ａを伝い落ちる液体２０の流動速度を抑えることができ、液体２０を穏やかに薬剤１０に供給することができる。また、液体２０をより広い範囲から薬剤１０に供給することができるため、液体２０と薬剤１０との混合をスムーズに行うことができる。【００６３】
＜第４実施形態＞
次いで、本発明の薬剤収納容器の第４実施形態について説明する。【００６４】
図６は、本発明の薬剤収納容器の第４実施形態を示す縦断面図である。【００６５】
以下、本実施形態の薬剤収納容器について説明するが、前記第１実施形態の薬剤収納容器との相違点を中心に説明し、同様の事項については、その説明を省略する。【００６６】
本実施形態の薬剤収納容器では、容器本体内の気密性を保持する構成が異なっている以外は、前記第１実施形態の薬剤収納容器と同様である。【００６７】
本実施形態の容器本体２は、仕切部２２から第１の空間２１内に突出して設けられた管部２２４を有しており、この管部２２４は、各誘導路６と連通している。【００６８】
また、容器本体２の第１の空間２１には、開口部２１１を塞ぐように設けられた弁体７と、弁体７を容器本体２に固定する弁体キャップ（固定部材）８とを有している。本実施形態では、この弁体７によって、容器本体２内の気密性が保持されている。【００６９】
弁体７は、管部２２４が挿入された筒状の本体７１と、本体７１の上端部に設けられ、本体７１の内外を仕切るように設けられた弁部７２とを有し、その全体が弾性材料により構成されている。【００７０】
弁体７の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。【００７１】
弁部７２には、必要時に開く開閉口７２１が形成されている。この開閉口７２１は、弁部７２の中央部に、弁部７２を貫通して形成された例えば一文字状のスリットで構成されている。弁部７２は、自然状態にあるときは、弁部７２自体の弾性により閉塞されており、一方、例えはシリンジ等の先端部により軸方向に押圧されたときは、変形して開くようになっている。【００７２】
このような弁体７は、その基端部を第１の空間２１に挿入した状態とし、弁体キャップ８を容器本体２に装着することにより、容器本体２に対して固定されている。弁体キャップ８は、例えば螺合や圧入によって容器本体２に固定されている。容器本体２に固定された状態では、本体７１の基端面が仕切部２２の先端面と気密的に接触しているとともに、管部２２４が本体７１内に挿入されている。【００７３】
また、弁体キャップ８の基端と容器本体２との間には、気密性を担保するためのシール部材４０が設けられている。【００７４】
次に、薬剤収納容器１の使用方法について、前述した第１実施形態と異なる部分についてのみ説明する。【００７５】
まず、液体２０を収納したシリンジ７００を用意する。次に、このシリンジ７００の先端口部７１１を、弁部７２に当接させ、弁部７２を基端方向に押圧する。これにより、弁部７２が変形して開閉口が開き、シリンジ外筒７１０内と容器本体２の第１の空間２１とが連通する。以下、前述した第１実施形態と同様に使用すればよい。【００７６】
＜第５実施形態＞
次いで、本発明の薬剤収納容器の第５実施形態について説明する。【００７７】
図７は、本発明の薬剤収納容器の第５実施形態を示す縦断面図、図８は、図７に示す薬剤収納容器の横断面図である。【００７８】
以下、本実施形態の薬剤収納容器について説明するが、前記第２実施形態の薬剤収納容器との相違点を中心に説明し、同様の事項については、その説明を省略する。【００７９】
本実施形態の薬剤収納容器では、誘導路の形状が異なる以外は、前記第１実施形態の薬剤収納容器と同様である。【００８０】
図７に示すように、仕切部２２には、第１の空間２１と第２の空間２３とを連通する複数（本実施形態では２つ）の誘導路６が形成されている。各誘導路６は、仕切部２２の側面の傾斜に倣って形成されている。また、図８に示すように、各誘導路６は、薬剤収納容器１を上方から見た平面視にて、有底円筒状をなす容器本体２の中心軸を中心とする扇形をなしており、液体２０の流動方向下流側に向けて幅（仕切部２２の周方向の長さ）が漸増している。なお、誘導路６の数は、２つに限定されず、１つであってもよいし、３つ以上であってもよい。【００８１】
薬剤収納容器１を上方から見た平面視にて、各誘導路６の扇形の角度θ３は、特に限定されないが、例えば、１５０〜１７５°程度であるのが好ましい。言い換えれば、各誘導路の扇形の角度θ３の総和が３００〜３５０°程度となるのが好ましい。これにより、誘導路６を介して第２の空間２３の内側面２３ａに誘導された液体２０が、内側面２３ａの周方向の広い範囲に流れ広がる。そのため、内側面２３ａを伝い落ちる液体２０の流動速度を抑えることができる。また、液体２０をより広い範囲から薬剤１０に供給することができるため、液体２０と薬剤１０との混合をスムーズに行うことができる。【００８２】
さらには、液体２０に薬剤１０が溶解または分散してなる薬液３０を、誘導路６を介してスムーズに回収することができる。また、薬液３０の回収するために薬剤収納容器１を上下さかさまにすると、各誘導路６内の空気が速やかに第２の空間２３に移動するため、回収される薬液３０が誘導路６を通過する際に空気を巻き込み、薬液３０が泡立ってしまうことを効果的に抑制することができる。【００８３】
また、誘導路６と隣接する第２の空間２３の内側面２３ａには、テーパ部（先端側内径漸減部）２３３が形成されている。テーパ部２３３の傾斜は、誘導路６の傾斜と反対を向いているため、これらの間に角部２３４が形成され、誘導路６を流れる液体２０が角部２３４にぶつかり、さらにテーパ部２３３を流れることにより、液体２０の流動速度が低下する。そのため、内側面２３ａを伝い落ちる液体２０の流動速度を抑えることができ、液体２０を穏やかに薬剤１０に供給することができる。また、角部２３４にぶつかった液体２０は、確実にテーパ部２３３を流れるため、より確実に液体２０を内側面２３ａに誘導することができる。【００８４】
以上、本発明の薬剤収納容器を図示の実施形態について説明したが、本発明は、これに限定されるものではなく、薬剤収納容器を構成する各部は、同様の機能を発揮し得る任意の構成のものと置換することができる。また、任意の構成物が付加されていてもよい。【００８５】
また、本発明の薬剤収納容器は、前記各実施形態のうちの、任意の２以上の構成（特徴）を組み合わせたものであってもよい。
【産業上の利用可能性】
【００８６】
本発明によれば、溶解用液が薬剤収納容器の内壁を伝って流れ落ちるため、薬剤、特に泡立ち易いといわれているタンパク製剤に対して溶解用液を穏やかに供給することができ、薬液の泡立ちを抑制することができる。そのため、正確な計量が可能で、かつ薬剤が均一に溶解した薬液を得ることができる。特に薬剤収納容器の内壁を傾斜させることにより、薬剤に対して溶解用液をより穏やかに供給することができ、上記効果がより顕著となる。したがって、産業上の利用可能性を有する。
【図１】
2012105646.tif 000003
【図２】
2012105646.tif 000004
【図３】
2012105646.tif 000005
【図４】
2012105646.tif 000006
【図５】
2012105646.tif 000007
【図６】
2012105646.tif 000008
【図７】
2012105646.tif 000009
【図８】
2012105646.tif 000010
【国際調査報告】
2012105646.tif 000011
2012105646.tif 000012